(57)【要約】【課題】机上で睡眠をとる際に、従来の机上枕では依然自然で楽な姿勢とは言い難い。俯せた姿勢をとらずに、より上質な睡眠ができる机上枕を得る。  【解決手段】顔をまっすぐ下にむけることなく、傾斜面４に額をのせ、台座面３に顎をのせることで、上半身を俯せることなく、あまり曲げることなく自然で楽な姿勢で安定させることが出来るようにした。  【選択図】図１
0003137766.tif 000002
【実用新案登録請求の範囲】
【請求項１】
顔面の顎を受ける台座と、額を受ける傾斜した台座を有し、この一組の台座を保持するために支持する構造を持つことを特徴とする机上枕
【請求項２】
前記顎と額を受けるそれぞれの台座には、弾性部材を貼付することを特徴とする請求項1に記載の机上枕
【請求項３】
前記顎と額を受けるそれぞれの台座は、その位置を調節できることを特徴とする請求項１または請求項２に記載の机上枕
【請求項４】
前記額を受ける台座は、その角度を調節できることを特徴とする請求項１または請求項２または請求項３に記載の机上枕
【考案の詳細な説明】
【技術分野】
【０００１】
本考案は、机上で補助的睡眠をとるための机上枕に関するものである。
【背景技術】
【０００２】
職場環境、時間帯、その他状況により、机上で睡眠をとることがあるが、机上での睡眠は、上半身を俯せた姿勢となり、安定した形で顔面が固定できず、安定した睡眠がとれなかった。その後、机上枕が考案され（実用新案文献１参照）ある程度安定した姿勢を保てるようになったが、依然、顔をまっすぐに下に向いた状態に維持する俯せた姿勢であり、腰が曲がり、首や顔面に負担がかかり腹部も圧迫を受ける状態であり、自然で楽な姿勢とはいえない。
【特許文献１】実用新案登録第３１２０９２６号公報
【考案の開示】
【考案が解決しようとする課題】
【０００３】
実用新案文献１記載の机上枕では、睡眠する際には俯せた姿勢となり、腰、背中、首、顔面に負担がかかり、又腹部も圧迫を受ける状態となり、安定感は得られるものの姿勢は仮の枕等を利用したときと変わらないので、睡眠後に肩や腰に疲れが残ることがある。
【０００４】
本考案の目的は、「机上で睡眠する際には上半身を俯せる」という概念をすて、新しい発想で自然で楽な姿勢を保ち、上質な睡眠をうる机上枕を提供するところにある。
【課題を解決するための手段】
【０００５】
上記の自然で楽な姿勢を保つために、請求項１に記載の机上枕は、机上枕に向かって肩口高さ付近に顎を受ける台座と更にその前方上部に額を受ける傾斜した台座とこの一組の台座の位置を保持できるように支持する構造としたものである。当該支持する構造は各々の台座を組木の形で側板に嵌め込むかさらにねじ止め等で固定することができる。また、各部材を当該構造となるよう接着剤やねじ止め等で接合したものでも良い。あるいは、プラスチック成形により一体型で作ることもできる。材質は、木、プラスチック、金属とすることができるがこれに限定されるものではない。
【０００６】
上述のように請求項１の机上枕によれば、顔を下に向け俯せるという姿勢をとらずに、脊椎も真直ぐに近い形で腰、背中、首、顔面、腹部への負担もかなり軽減され自然で楽な姿勢と上質な睡眠がえられる。
【０００７】
請求項２における発明は、前記顎を受ける台座と額を受ける傾斜した台座には、ポリウレタン、ゴム等の弾性部材を貼付することを特徴とし、顎や額の負担を軽減するようにしたものである。
【０００８】
請求項３における発明は、前記顎を受ける台座と額を受ける傾斜した台座を、個々人の頭部の個体差を補正できるようにそれぞれの台座を上下、前後に位置を調節できるようにしたものである。位置の調整は、各台座を支持する側板に嵌めこみほぞ穴を数箇所設け頭部に適合する位置に各台座をはめ込むことにより行うことができるが、この方法に限るものではない。
【０００９】
請求項４における発明は、前記額を受ける傾斜した台座は、個々人の頭部の個体差を補正できるようにその角度を調節できるようにしたものである。
【考案の効果】
【００１０】
本考案によると、顔をまっすぐ下に向けた状態にしないので、腰、背中、首、顔面及び腹部に負担をかけずに、より自然で楽な姿勢と上質な睡眠をうることができる
【考案を実施するための最良の形態】
【００１１】
顔面の顎と額をそれぞれ台座と傾斜した台座で受けこの一組の台座の位置を保持できるように支持する構造を有する机上枕である。安定度を増すために、支持できる構造に加えて底板などを設けてもよい。
【実施例１】
【００１２】
図１乃至図３は、本考案に係る机上枕を実施するための最良の形態の一例を示したもので、図１は本例の分解斜視図、図２は本例の使用状態を示す正面図、図３は図２のＡ−Ａ線断面説明図である。
【００１３】
短時間の睡眠時、自然で楽な姿勢を保つために、机上枕に向かって肩口高さ付近に顎を受ける台座３と更にその前方上部に額を受ける傾斜した台座４とこの一組の台座の位置を保持できるように支持する側板１よりなり、台座３と傾斜した台座４を組木の形で側板１に嵌め込み固定した。材質は、木としたが、プラスチック、金属とすることもできる。これにより、顔を下に向け俯せるという姿勢をとらずに、脊椎も真直ぐに近い形で腰、背中、首、顔面、腹部への負担もかなり軽減され自然で楽な姿勢と上質な睡眠がえられた。
【実施例２】
【００１４】
実施例１の机上枕の顎を受ける台座３と額を受ける傾斜した台座４に低反発性のポリウレタンを接着剤を用いて貼付したものである。
【実施例３】
【００１５】
図４、図５は実施例２の机上枕の顎を受ける台座３または額を受ける傾斜した台座４を支持する側板の内側に設けた位置を変えたほぞ穴７、８又は９、１０のどちらかに差し込むことにより台座の位置を変え、顎又は額を受ける位置を調節する機能をつけたものである。
【実施例４】
【００１６】
図６，図７は、本例机上枕の額を受ける傾斜した台座４の傾斜角度を調節できるよう台座の一端に回転の軸となる通し棒１１を設け側板１を通して固定し、他端は台座を支持する側板１の内側に複数のフックピン用穴を設け、そこにフックピン１２、１３を差し込むことにより傾斜角度を変更可能のようにした。
【００１７】
上記のように構成された机上枕の使用にあたっては、できるだけ広い面積で額が傾斜する台座４で受けとめられるように、台座３と傾斜した台座４の位置、更に傾斜した台座４の角度を調節したのち、先に額を傾斜した台座４につけ全荷重を載せ、その後、顎を台座３までおろす。
【００１８】
このようにすることにより、顔をまっすぐ下に向けた状態にしないので、腰、背中、首、顔面及び腹部に負担をかけずに、より自然で楽な姿勢と上質な睡眠をうることができる。
【図面の簡単な説明】
【００１９】
【図１】本考案の机上枕の一実施例を示す分解斜視図
【図２】本例の使用状態を示す正面図
【図３】図２のＡ−Ａ線断面説明図
【図４】本例部材３の組立位置選択正面図
【図５】図４のＢ−Ｂ線断面説明図
【図６】本例部材４の角度選択正面図
【図７】図６のＣ−Ｃ線断面説明図
【符号の説明】
【００２０】
１    机上枕側板
２    机上枕底板
３    机上枕顎受け台座
４    机上枕額受け傾斜した台座
５    顎受け部低反発性ポリウレタン
６    額受け部低反発性ポリウレタン
７    顎受け台座ほぞ穴
８    顎受け台座ほぞ穴
９    額受け傾斜した台座ほぞ穴
１０  額受け傾斜した台座ほぞ穴
１１  回転の軸となる通し棒
１２  フックピン
１３  フックピン
【図１】
0003137766.tif 000003
【図２】
0003137766.tif 000004
【図３】
0003137766.tif 000005
【図４】
0003137766.tif 000006
【図５】
0003137766.tif 000007
【図６】
0003137766.tif 000008
【図７】
0003137766.tif 000009